(57)【要約】【課題】水平な場所のみならず、傾斜面や段差のある場所などの様々な場所に、植木鉢を水平に維持したまま展示することが可能な植木鉢スタンドの提供。【解決手段】略アーチ状の主フレーム２と、植木鉢Ａを受け入れて保持するリング部３ａと、このリング部３ａを主フレーム２に回動自在に軸支する支持部３ｂとからなる鉢受けフレーム３とからなる植木鉢スタンド１であり、略アーチ状の主フレーム２により、水平な場所のみならず、傾斜面や段差のある場所などの様々な場所に安定して設置することができるとともに、この主フレーム２に回動自在に軸支されたリング部３ａに植木鉢Ａを保持させることで、植木鉢Ａを水平に維持したまま展示することが可能である。【選択図】図４
2012179029.tif 000002
【特許請求の範囲】
【請求項１】
略アーチ状の主フレームと、
植木鉢を受け入れて保持するリング部と、このリング部を前記主フレームに回動自在に軸支する支持部とからなる鉢受けフレームと
からなる植木鉢スタンド。
【請求項２】
前記主フレームは、対の略アーチ状の支持骨と、この対の略アーチ状の支持骨間を連結する補強骨とからなるものである請求項１記載の植木鉢スタンド。
【請求項３】
前記補強骨に回動可能に支持された固定具を有する請求項２記載の植木鉢スタンド。
【請求項４】
前記支持部は、前記リング部の前記植木鉢の保持面からオフセットした軸中心位置で軸支するものである請求項１から３のいずれかに記載の植木鉢スタンド。
【発明の詳細な説明】
【技術分野】
【０００１】
本発明は、植木鉢を展示するための植木鉢スタンドに関する。
【背景技術】
【０００２】
複数の植木鉢を展示する植木鉢スタンドが知られている。例えば、特許文献１には、土台の上に２本の支柱を立設し、植木鉢用受皿に設けた受皿保持軸の自由端部を支柱の小孔に挿入して、受皿を２本の支柱間に取り付けた植木鉢用スタンドが記載されている。この植木鉢スタンドではスタンドに人が衝突した場合など外部から衝撃が加えられたときに、この衝撃により受皿が回動することにより衝突エネルギーが吸収され、受皿上の植木鉢が落下する可能性が少なくなる。
【０００３】
また、特許文献２には、多数の鉢植え植物を配置させるベンチ本体を支柱に環装した筒部材に蝶番を介して連結し、また、車輪付きの支持部材にヒンジ結合を介して支持させた栽培ベンチ装置が記載されている。この栽培ベンチ装置では、鉢植え植物は鉢押さえ枠を介してベント本体外枠に対し観覧車のゴンドラ様に回動して常に水平に維持される。
【先行技術文献】
【特許文献】
【０００４】
【特許文献１】特開平１０−１２７４５１号公報
【特許文献２】特開平１１−３３２３８１号公報
【発明の概要】
【発明が解決しようとする課題】
【０００５】
特許文献１に記載のものは、土台上に２本の支柱が立設されたものであり、衝撃に対して受皿が回動するようになっているものの、基本的には鉛直方向に植木鉢を展示することしかできない。また、特許文献２に記載のものでは、各ベンチ本体の傾斜角度を変動させて多数の鉢植え植物を展示することが可能であるが、支柱を水平な地面に鉛直に立設し、支持部材を案内するレール用鉄管を水平に敷設する必要がある。すなわち、特許文献１，２に記載のものは、いずれも水平な場所にしか設置することができない。
【０００６】
そこで、本発明は、水平な場所のみならず、傾斜面や段差のある場所などの様々な場所に、植木鉢を水平に維持したまま展示することが可能な植木鉢スタンドを提供することを目的とする。
【課題を解決するための手段】
【０００７】
本発明の植木鉢スタンドは、略アーチ状の主フレームと、植木鉢を受け入れて保持するリング部と、このリング部を主フレームに回動自在に軸支する支持部とからなる鉢受けフレームとからなる。本発明の植木鉢スタンドでは、略アーチ状の主フレームにより、水平な場所のみならず、傾斜面や段差のある場所などの様々な場所に安定して設置することができる。また、この主フレームに回動自在に軸支されたリング部に植木鉢を保持させることで、植木鉢は自動的にバランスを取って、水平を維持することができる。
【０００８】
また、本発明の植木鉢スタンドは、主フレームが対の略アーチ状の支持骨と、この対の略アーチ状の支持骨間を連結する補強骨とからなり、補強骨に回動可能に支持された固定具を有するものであることが望ましい。これにより、固定具は補強骨に回動可能に支持されているため、主フレームがどのような角度に設置されても、この固定具を用いて設置場所に動かないように固定することが可能となる。
【０００９】
また、支持部は、リング部の植木鉢の保持面からオフセットした位置で軸支するものであることが望ましい。これにより、リング部に保持された植木鉢の重心位置が、このリング部を回動自在に軸支する支持部の位置からさらに低い位置となり、植木鉢の姿勢が安定する。
【発明の効果】
【００１０】
（１）略アーチ状の主フレームと、植木鉢を受け入れて保持するリング部と、このリング部を主フレームに回動自在に軸支する支持部とからなる鉢受けフレームとからなる植木鉢スタンドによれば、略アーチ状の主フレームにより、水平な場所のみならず、傾斜面や段差のある場所などの様々な場所に安定して設置することができるとともに、この主フレームに回動自在に軸支されたリング部に植木鉢を保持させることで、植木鉢を水平に維持したまま展示することが可能となる。
【００１１】
（２）主フレームが対の略アーチ状の支持骨と、この対の略アーチ状の支持骨間を連結する補強骨とからなり、補強骨に回動可能に支持された固定具を有することにより、傾斜面や段差のある場所などに設置する場合や、垂直面に設置する場合などに、補強骨に回動可能に支持された固定具を用いて動かないように固定することが可能となり、さらに展示場所の自由度が増す。
【００１２】
（３）支持部がリング部の植木鉢の保持面からオフセットした軸中心位置で軸支するものであることにより、植木鉢の姿勢をさらに安定させた状態で展示することが可能となる。
【図面の簡単な説明】
【００１３】
【図１】本発明の実施の形態における植木鉢スタンドの平面図である。
【図２】図１の植木鉢スタンドの正面図である。
【図３】図１の植木鉢スタンドの右側面図である。
【図４】図１の植木鉢スタンドを水平面に置いて使用した状態を示す斜視図である。
【図５】図１の植木鉢スタンドを段差部に置いて使用した状態を示す斜視図である。
【図６】固定具を示す斜視図である。
【発明を実施するための形態】
【００１４】
図１は本発明の実施の形態における植木鉢スタンドの平面図、図２は正面図、図３は右側面図、図４は図１の植木鉢スタンドを水平面に置いて使用した状態を示す斜視図、図５は図１の植木鉢スタンドを段差部に置いて使用した状態を示す斜視図である。
【００１５】
図１〜図３において、本発明の実施の形態における植木鉢スタンド１は、アーチ状の主フレーム２と、植木鉢Ａ（図４参照。）を受け入れて保持する鉢受けフレーム３とからなる。主フレーム２は、円形断面のスチール製のパイプによりアーチ状に形成された２本の支持骨２ａと、この２本のアーチ状の支持骨２ａ間を連結する複数のスチール製の丸棒により形成された補強骨２ｂとからなる。
【００１６】
鉢受けフレーム３は、図３に示すように、植木鉢Ａを受け入れて保持するリング部３ａと、このリング部３ａを主フレーム２に回動自在に支持する支持部３ｂとからなる。リング部３ａは、スチール製の丸棒により環状に形成されている。支持部３ｂは、スチール製の丸棒により略Ｌ字状に形成されており、リング部３ａの植木鉢Ａの保持面４からオフセットした軸中心位置で、支持骨２ａに回動自在に軸支されている。
【００１７】
上記構成の植木鉢スタンド１は、図４および図５に示すように、複数の植木鉢Ａをそれぞれ鉢受けフレーム３のリング部３ａ内に入れて使用する。このとき、各植木鉢Ａは、リング部３ａが支持部３ｂにより主フレーム２に回動自在に軸支されていることにより、自動的にバランスを取って水平を維持する。特に、この植木鉢スタンド１では、支持部３ｂがリング部３ａの植木鉢Ａの保持面４からオフセットした位置で軸支されているため、植木鉢Ａの重心位置が支持部３ｂの位置からさらに低い位置となっており、植木鉢Ａの姿勢が安定する。
【００１８】
そして、この植木鉢スタンド１では、主フレーム２がアーチ状であるため、図４および図５に示すように、水平面や段差部に置いて自立させて使用することができる。このとき、各リング部３ａに保持された各植木鉢Ａは、主フレーム２の設置角度に拘わらず、リング部３ａが回動することによって、自動的にバランスを取るので、正しい姿勢で安定して保持される。
【００１９】
また、この植木鉢スタンド１を壁などの垂直面や垂直面に近い角度の傾斜面に設置する場合には、図６に示す固定具５を用いて固定することが可能となっている。この固定具５は、ビス６によって被固定面７に固定される平板部５ａと、平板部５ａを補強骨２ｂに対して回動可能に支持するアーム部５ｂとからなる。この固定具５は、補強骨２ｂに対して着脱可能となっており、不要時には取り外すことが可能である。
【００２０】
この固定具５を用いて被固定面７に固定することで、植木鉢スタンド１を動かないように固定することが可能であり、展示場所の自由度が増す。もちろん、壁などの垂直面や垂直面に近い角度の傾斜面だけでなく、図４および図５に示すように水平面や段差部に設置する場合でも、この固定具５を用いれば、植木鉢スタンド１をしっかりと固定することができる。
【００２１】
なお、本実施形態においては、主フレーム２は２本のアーチ状の支持骨２ａにより形成されたものであるが、支持骨２ａの本数はさらに増やすことも可能である。この場合、２本の各支持骨２ａを対として各支持骨２ａ間に鉢受けフレーム３を配置することができる。また、本実施形態においては、支持骨２ａはアーチ状としているが、これを階段状や波状として、全体として略アーチ状の主フレーム２とすることも可能である。
【００２２】
また、鉢受けフレーム３の数や支持骨２ａの数も自由に増減することが可能であり、鉢受けフレーム３は保持する植木鉢の大きさに合わせて構成することができる。また、本実施形態においては、植木鉢スタンド１はスチール製としているが、樹脂製やその他の材質により構成することも可能である。
【産業上の利用可能性】
【００２３】
本発明の植木鉢スタンドは、植木鉢を展示するためのスタンドとして有用である。
【符号の説明】
【００２４】
１  植木鉢スタンド
２  主フレーム
２ａ  支持骨
２ｂ  補強骨
３  鉢受けフレーム
３ａ  リング部
３ｂ  支持部
４  保持面
５  固定具
【図１】
2012179029.tif 000003
【図２】
2012179029.tif 000004
【図３】
2012179029.tif 000005
【図４】
2012179029.tif 000006
【図５】
2012179029.tif 000007
【図６】
2012179029.tif 000008